(57)【要約】【課題】  重要度の低い告知放送を録音するために重要度の高い告知放送が消去されることを防止することができる告知放送システムを提供すること。【解決手段】  告知放送の伝送機能を備えたセンタ装置３と、告知放送を受信する告知放送受信機１６とを接続した告知放送システムにおいて、センタ装置３は告知放送に種別データを付加して送信する告知放送送信部１２を有し、告知放送受信機１６は受信した告知放送の音声情報を記憶する音声メモリ３１と、音声メモリ３１に告知放送の音声情報を記憶させる録音手段３０とを有し、音声メモリ３１は告知放送の種別毎にそれぞれ異なるメモリ領域を有し、録音手段３０は受信した告知放送に付加された種別データに対応するメモリ領域に告知放送の音声情報を記憶させる。【選択図】  図２
2006261956.tif 000002
【特許請求の範囲】
【請求項１】
告知放送の伝送機能を備えたセンタ装置と、該センタ装置からの告知放送を受信する告知放送受信機とを接続して構成した告知放送システムにおいて、
上記センタ装置は上記告知放送に告知放送の重要度を示す種別データを付加して上記告知放送受信機に送信する告知放送送信部を有し、
上記告知放送受信機は受信した告知放送の音声情報を記憶する音声メモリと、該音声メモリに告知放送の音声情報を記憶させる録音手段とを有し、上記音声メモリは告知放送の種別毎にそれぞれ異なるメモリ領域を有し、上記録音手段は受信した告知放送に付加された種別データに対応するメモリ領域に上記告知放送の音声情報を記憶させることを特徴とする告知放送システム。
【請求項２】
告知放送の伝送機能を備えたセンタ装置と、該センタ装置からの告知放送を受信する告知放送受信機とを接続して構成した告知放送システムにおいて、
上記センタ装置は上記告知放送に告知放送の重要度を示す種別データを付加して上記告知放送受信機に送信する告知放送送信部を有し、
上記告知放送受信機は受信した告知放送の音声情報を記憶する音声メモリと、該音声メモリに告知放送の音声情報を記憶させる録音手段とを有し、上記音声メモリは第１メモリ領域と第２メモリ領域とを有し、上記録音手段は告知放送の重要度が最も高い種別データが付加された告知放送の音声情報を上記第１メモリ領域に記憶させ、それ以外の種別データが付加された告知放送の音声情報を上記第２メモリ領域に記憶させることを特徴とする告知放送システム。
【請求項３】
上記録音手段は受信した告知放送に付加された種別データに対応するメモリ領域に空きがない場合であって、当該メモリ領域よりも重要度が下位の種別データに対応するメモリ領域に空きがある場合に当該下位のメモリ領域に上記告知放送の音声情報を記憶させることを特徴とする請求項１または２記載の告知放送システム。
【請求項４】
上記録音手段は受信した告知放送に付加された種別データに対応するメモリ領域に空きがない場合であって、当該メモリ領域よりも重要度が下位の種別データに対応するメモリ領域に空きがない場合に、当該下位のメモリ領域に記憶されている告知放送の音声情報を消去して、上記受信した告知放送の音声情報を記憶させることを特徴とする請求項１または２記載の告知放送システム。
【請求項５】
上記告知放送受信機は上記各メモリ領域に記憶された告知放送をその重要度が高い順に再生する再生手段を有してなることを特徴とする請求項１〜４のいずれか１項に記載の告知放送システム。
【発明の詳細な説明】
【技術分野】
【０００１】
本発明は、センタから端末に対して各種の告知放送を行う告知放送システムに関し、特に告知放送をその重要度毎に記憶可能な告知放送システムに関する。
【背景技術】
【０００２】
従来、集合住宅等で用いられる告知放送システムは、告知放送の伝送機能を有するセンタ装置と、端末側である各集合住宅に設けられる告知放送受信機とを例えばＣＡＴＶ線路を利用して接続して構成されていた。そして、センタ側から端末側に向けて各種の告知放送を行うようにしていた。告知放送には天災や火災等の非常時の避難や防災についての緊急性を有する緊急放送や、連絡や催し物の案内等に関するものであって緊急性を要しない一般告知放送、更には学校別・サークル別の連絡などグループを選別して告知放送を行うグループ告知放送等の種類がある。
【０００３】
また、告知放送受信機には告知放送の録音機能が備えられており、端末加入者が告知放送時に留守の場合であっても、告知放送を録音しておくことで告知放送を聞くことができる。このような告知放送システムとしては、例えば特許文献１に記載されているものがある。
【特許文献１】特開平９−８７５３号公報
【発明の開示】
【発明が解決しようとする課題】
【０００４】
しかしながら、録音再生機能を有する受信機であっても、録音可能な放送数は限られており、例えば最大３放送だとすると、それ以上の放送があったときは古いものから上書き録音される。上述のように告知放送には、重要度の高い順に緊急一斉・緊急グループ告知放送、一般一斉・一般グループ告知放送等の種類があり、例えば緊急告知放送が既に録音されている場合であっても最大録音放送数を超えてしまうと、新規に重要度の低い一般告知放送を受信するとこれを録音するために重要度の高い緊急告知放送が消去されてしまう。また、一般グループ告知放送を録音するために、これよりも重要な一般一斉告知放送を消去しなければならないことも起こり得る。
【０００５】
本発明は上記課題を鑑みてなされたものであり、重要度の低い告知放送を録音するために重要度の高い告知放送が消去されることを防止することができる告知放送システムを提供することを目的とする。
【課題を解決するための手段】
【０００６】
上記課題を解決するため、本発明に係る告知放送システムは、告知放送の伝送機能を備えたセンタ装置と、該センタ装置からの告知放送を受信する告知放送受信機とを接続して構成した告知放送システムにおいて、
上記センタ装置は上記告知放送に告知放送の重要度を示す種別データを付加して上記告知放送受信機に送信する告知放送送信部を有し、
上記告知放送受信機は受信した告知放送の音声情報を記憶する音声メモリと、該音声メモリに告知放送の音声情報を記憶させる録音手段とを有し、上記音声メモリは告知放送の種別毎にそれぞれ異なるメモリ領域を有し、上記録音手段は受信した告知放送に付加された種別データに対応するメモリ領域に上記告知放送の音声情報を記憶させることを特徴として構成されている。
【０００７】
また、本発明に係る告知放送システムは、告知放送の伝送機能を備えたセンタ装置と、該センタ装置からの告知放送を受信する告知放送受信機とを接続して構成した告知放送システムにおいて、
上記センタ装置は上記告知放送に告知放送の重要度を示す種別データを付加して上記告知放送受信機に送信する告知放送送信部を有し、
上記告知放送受信機は受信した告知放送の音声情報を記憶する音声メモリと、該音声メモリに告知放送の音声情報を記憶させる録音手段とを有し、上記音声メモリは第１メモリ領域と第２メモリ領域とを有し、上記録音手段は告知放送の重要度が最も高い種別データが付加された告知放送の音声情報を上記第１メモリ領域に記憶させ、それ以外の種別データが付加された告知放送の音声情報を上記第２メモリ領域に記憶させることを特徴として構成されている。
【０００８】
さらに、本発明に係る告知放送システムは、上記録音手段は受信した告知放送に付加された種別データに対応するメモリ領域に空きがない場合であって、当該メモリ領域よりも重要度が下位の種別データに対応するメモリ領域に空きがある場合に当該下位のメモリ領域に上記告知放送の音声情報を記憶させることを特徴として構成されている。
【０００９】
さらにまた、本発明に係る告知放送システムは、上記録音手段は受信した告知放送に付加された種別データに対応するメモリ領域に空きがない場合であって、当該メモリ領域よりも重要度が下位の種別データに対応するメモリ領域に空きがない場合に、当該下位のメモリ領域に記憶されている告知放送の音声情報を消去して、上記受信した告知放送の音声情報を記憶させることを特徴として構成されている。
【００１０】
そして、本発明に係る告知放送システムは、上記告知放送受信機は上記各メモリ領域に記憶された告知放送をその重要度が高い順に再生する再生手段を有してなることを特徴として構成されている。
【発明の効果】
【００１１】
本発明に係る告知放送システムによれば、音声メモリは告知放送の種別毎にそれぞれ異なるメモリ領域を有し、録音手段は受信した告知放送に付加された種別データに対応するメモリ領域に告知放送の音声情報を記憶させることにより、告知放送データをその重要度毎に記憶することができるので、新規の重要度の低い告知放送を録音するために既に録音されている重要な告知放送が消去されることを防止することができる。
【００１２】
また、本発明に係る告知放送システムによれば、音声メモリは第１メモリ領域と第２メモリ領域とを有し、録音手段は告知放送の重要度が最も高い種別データが付加された告知放送の音声情報を第１メモリ領域に記憶させ、それ以外の種別データが付加された告知放送の音声情報を第２メモリ領域に記憶させることにより、最重要な緊急告知放送のみを第１メモリ領域に記憶することで、緊急告知放送以外の告知放送を録音するために既に録音されている緊急告知放送が消去されることを防止することができる。
【００１３】
さらに、本発明に係る告知放送システムによれば、録音手段は受信した告知放送に付加された種別データに対応するメモリ領域に空きがない場合であって、当該メモリ領域よりも重要度が下位の種別データに対応するメモリ領域に空きがある場合に当該下位のメモリ領域に告知放送の音声情報を記憶させることにより、重要な告知放送をより多く録音することができると共に、各メモリ領域を有効に使用することができる。
【００１４】
さらにまた、本発明に係る告知放送システムによれば、録音手段は受信した告知放送に付加された種別データに対応するメモリ領域に空きがない場合であって、当該メモリ領域よりも重要度が下位の種別データに対応するメモリ領域に空きがない場合に、当該下位のメモリ領域に記憶されている告知放送の音声情報を消去して、受信した告知放送の音声情報を記憶させることにより、既に録音されている重要な告知放送を消去することなく、新規の重要告知放送を録音することができる。
【００１５】
そして、本発明に係る告知放送システムによれば、告知放送受信機は各メモリ領域に記憶された告知放送をその重要度が高い順に再生する再生手段を有してなることにより、重要な緊急告知放送から確認することができるので、利用者の利便性を向上させることができる。
【発明を実施するための最良の形態】
【００１６】
本発明の実施形態について図面に添って詳細に説明する。図１は本実施形態における告知放送システムの構成を示すブロック図である。まず、本実施形態におけるシステム構成について説明する。１は信号線としての伝送線路であり、この実施例にあってはＣＡＴＶシステムの同軸ケーブルを利用しており、このためセンタ側にはヘッドエンド２が設けられ、ヘッドエンド２よりテレビ信号を端末側に伝送している。伝送線路１上には、伝送信号を増幅するために適宜、伝送信号増幅器２９が設けられている。ヘッドエンド２側となるセンタ側にはセンタ装置３が設けられ、伝送線路１の端末側には分岐器１５の分岐端子を介して複数の告知放送受信機１６、１６が接続される。
【００１７】
センタ装置３はデータ処理及びデータ伝送制御を行う制御部４と、各告知放送受信機１６に告知放送を送信する告知放送送信部１２とから構成される。制御部４には放送信号の設定入力を行うディスプレイ９、プリンタ１０及びキーボード１１等が接続され、マイク１３やＢＧＭ源３３からの音声信号を告知放送送信部１２に送信し、ＦＭ変調される。告知放送送信部１２からの出力はヘッドエンド２を介して伝送線路１に与えられる。ここで、制御部４はマイク１３やＢＧＭ源３３による音声信号の他、テープレコーダ等による音響装置からの放送信号を送信することもできる。あるいは、キーボード１１から入力されディスプレイ９に表示される文字データを符号化して放送信号として送信することもできる。さらに、ディスプレイ９を介して入力される映像によるイメージデータに適当な符号化を施して放送信号として送信することもできる。
【００１８】
制御部４から送信される告知放送には、告知放送受信機１６のスピーカ２５にて放送される音声情報と、告知放送の種類及び告知放送の対象となる端末情報からなる種別データや放送開始／終了データなどの制御情報が含まれる。このとき、告知放送の送信開始もしくは放送終了時刻をカレンダー回路３７から読み出し告知放送の音声情報の最初もしくは最後の音声にて送信する。放送時刻は音声ではなく、データとして送ってもよい。なお、このカレンダー回路３７は告知放送受信機１６側に備えることとしてもよい。
【００１９】
種別データ等の制御情報の設定はキーボード１１の操作により行われ、まず送信する告知放送が緊急告知放送であるか一般告知放送であるかを設定する。次に、告知放送の対象となる端末装置のアドレス指定を行う。アドレス指定には、全加入端末を放送対象とする全端末指定や、サービス地域やマンション等のグループ単位でブロック分けされるグループ指定がある。グループ指定の場合には、キーボード１１でブロック番号を指定することで放送対象とする端末アドレスが指定される。あるいは逆にセンタ装置３側ではブロック番号のみを指定して送信し、告知放送受信機１６側で送信されたブロックに自己の端末が指定されているか否かを判断するように設定することもできる。
【００２０】
すなわち告知放送は、全加入端末に対し緊急告知放送を行う緊急一斉放送、全加入端末に対し一般告知放送を行う一般一斉放送、グループ単位でブロック分けした加入端末に対し緊急告知放送を行う緊急グループ放送、グループ単位でブロック分けした加入端末に対し一般告知放送を行う一般グループ放送に種別される。そして、緊急告知放送の方が一般告知放送よりも重要度が高く、一斉放送の方がグループ放送より重要度が高い。
【００２１】
また、制御部４は一般電話回路網５０にも接続されており、一般家庭電話、携帯電話等の電話機５１から放送日時、告知内容、放送グループ等を事前に登録することによって、指定した時間に自動的に告知放送を行うことができる。
【００２２】
次に伝送線路１の端末に設けられる告知放送受信機１６について説明する。図２に告知放送受信機１６のブロック図を示す。この図に示すように、告知放送受信機１６はセンタ装置３から送信された告知放送を受信復調する復調部２２と、この復調した告知放送に含まれる制御情報に基づき制御するマイコン１７が設けられる。そして、復調部２２で復調された音声情報の出力手段として、音声情報を増幅する音声アンプ２４と、スピーカ２５を有し、音声アンプ２４の前段にはスピーカ２５からの音量を調整するための音量調整部２８が備えられる。
【００２３】
更に、告知放送受信機１６には、受信した告知放送の音声情報を記憶する音声メモリ３１と、音声メモリ３１に告知放送を記憶させる録音手段３０とが設けられる。録音手段３０は、復調部２２においてセンタ装置３からの制御情報に含まれた放送開始データを受信するとマイコン１７から録音動作の指令信号を受ける。そして、復調部２２から出力される告知放送の音声情報を録音データに変換して音声メモリ３１に記憶させる録音処理を行う。
【００２４】
音声メモリ３１は複数のメモリ領域に分割されており、緊急放送メモリ３１ａと、一般放送メモリ３１ｂと、一般グループメモリ３１ｃとから構成される。そして、センタ装置３からの告知放送が緊急一斉放送及び緊急グループ放送の場合には告知放送の音声情報は緊急放送メモリ３１ａに記憶され、一般一斉放送の場合には一般一斉メモリ３１ｂに、一般グループ放送の場合には一般グループ放送メモリ３１ｃにそれぞれ記憶される。すなわち、音声メモリ３１は告知放送の重要度に対応して区分される。なお、復調部２２にて復調された制御情報は、マイコン１７に設けられたメモリ３９に記憶され、音声メモリ３１の音声情報と対応が保持され、告知放送の再生、録音、消去に使用される。図３に受信した告知放送の録音処理のフローチャートを示す。
【００２５】
図３に示すように、復調部２２においてセンタ装置３からの告知放送を受信すると、マイコン１７はこれに付加された種別データから告知放送の種別を識別し（Ｓ１）、この種別データに対応するメモリ領域に空きがあるか否かを判別する（Ｓ２）。そして、種別データに対応するメモリ領域に空きがある場合には、録音手段３０に制御信号を出力し、種別データに対応するメモリ領域に告知放送を録音し（Ｓ３）、空きがない場合には種別データに対応するメモリ領域に上書き録音する（Ｓ４）。
【００２６】
音声メモリ３１は告知放送の種別毎にそれぞれ異なるメモリ領域に分割されているので、告知放送をその重要度毎に各メモリ領域に録音及び上書き録音することができる。すなわち、新規の告知放送であっても重要度の低い告知放送を録音するために、既に録音されている重要度の高い告知放送が消去されることを防止することができる。
【００２７】
本実施形態においては、音声メモリ３１を告知放送の種別毎にそれぞれ異なるメモリ領域に分割することとしたが、例えば音声メモリ３１を緊急告知放送用とそれ以外の告知放送用の２つのメモリ領域に分割し、緊急告知放送のみを他の告知放送と分けて記憶するようにしてもよい。また逆に、例えばグループ告知放送用のメモリ領域をさらにグループ毎に分割して多数設けることとしてもよい。
【００２８】
ここで、各メモリ領域の容量については、例えば緊急放送メモリ３１ａを一般一斉放送メモリ３１ｂや一般グループ放送メモリ３１ｃに比べ大きくすると、重要告知放送を多数録音しておくことができて有利である。
【００２９】
また、マイコン１７には告知放送の出力を切り替える音声切替部３６が接続されている。音声切替部３６はマイコン１７により制御されて、復調部２２で受信した告知放送の出力と音声メモリ３１に記憶されている告知放送の再生出力とを切り替えることができる。
【００３０】
また、マイコン１７には音声メモリ３１における告知放送の録音状態を知らせるための告知ランプが接続されている。告知ランプは緊急告知放送用の緊急告知ランプ３５と一般告知放送用の一般告知ランプ３４が備えられている。また、マイコン１７には、音声メモリ３１に記憶された告知放送の音声データを再生出力させるための再生スイッチ３８が接続されている。
【００３１】
一般告知ランプ３４もしくは緊急告知ランプ３５は告知放送の録音中は点灯し、告知放送の録音が終了すると点滅状態に切り替えられる。そして、録音された告知放送を再生するための再生スイッチ３８が押された場合に消灯する。したがって、一般告知ランプ３４もしくは緊急告知ランプ３５は、告知放送の受信録音が再生スイッチ３８の操作で確認されない限り点滅状態を保つため、端末利用者が留守の間に告知放送があった場合でも、告知放送があったことを容易に知ることができる。
【００３２】
録音されている告知放送を再生させる再生スイッチ３８が押されると、再生手段であるマイコン１７は音声メモリ３１に記憶された告知放送をその重要度の高い順に選択し、スピーカ２５から再生する。すなわち端末利用者は、重要な緊急告知放送等から聞くことができるので、未確認の告知放送を確認するための時間を長くとれない場合等に便利である。
【００３３】
次に第２の実施形態について説明する。本実施形態においては、告知放送の録音処理が第１の実施形態とは異なるものである。図４に本実施形態における告知放送の録音処理のフローチャートを示す。
【００３４】
第１の実施形態と同様、復調部２２においてセンタ装置３からの告知放送を受信すると、マイコン１７はこれに付加された種別データから告知放送の種別を識別し（Ｓ１）、この種別データに対応するメモリ領域に空きがあるか否かを判別する（Ｓ２）。そして、種別データに対応するメモリ領域に空きがある場合には、種別データに対応するメモリ領域に録音する（Ｓ３）。そして、種別データに対応するメモリ領域に空きがない場合には、引き続きこのメモリ領域よりも下位の放送種別に対応するメモリ領域に空きがあるかどうか判別する（Ｓ４）。そして、下位のメモリ領域に空きがある場合にこの下位のメモリ領域に告知放送を録音し（Ｓ５）、下位のメモリ領域に空きがない場合には、受信した告知放送に対応するメモリ領域に上書き録音する（Ｓ６）。
【００３５】
ここで、Ｓ６の動作において、さらに下位のメモリ領域があるときは、当該さらに下位のメモリ領域に空きがあるか否かを判別し、空きがある場合には告知放送を録音する。すなわち、種別データに対応するメモリ領域に空きがない場合には、最下位のメモリ領域まで順に空きがあるか否か判別し、下位のメモリ領域全てに空きがない場合に種別データに対応するメモリ領域に上書き録音することになる。
【００３６】
このように、本実施形態では種別データに対応するメモリ領域に空きがない場合であって、受信した告知放送よりも重要度が下位のメモリ領域に空きがある場合には、この下位のメモリ領域に受信した上位放送を録音するようにした。このため、録音放送数が限られている音声メモリ３１に重要度が高い告知放送を多数録音しておくことができると共に、各メモリ領域を有効に使用することができる。
【００３７】
また、本実施形態においては下位放送に対応するメモリ領域に空きがある場合に上位放送を録音することとしたが、下位のメモリ領域に空きがない場合であっても種別データに対応するメモリ領域が一杯のときは下位のメモリ領域に上書き録音するようにしてもよい。これにより、重要度が高い告知放送をより多く録音しておくことができる。
【００３８】
さらに、全てのメモリ領域に緊急告知放送が録音されている状態では、緊急告知放送を受信した場合にのみ上書き録音し、緊急告知放送以外の告知放送を受信しても上書き録音しないようにすると、重要度の低い告知放送によって重要告知放送が消去されることをより確実に防止することができる。
【００３９】
以上、本発明の実施形態について説明したが、本発明の適用はこれら実施形態には限られず、その技術的思想の範囲内において様々に適用されうるものである。本実施形態においては音声メモリ３１をメモリ領域に分割することとしたが、互いに独立した音声メモリ３１を複数設け、受信した告知放送を告知放送の種別毎に各音声メモリ３１にそれぞれ録音するようにしてもよい。
【図面の簡単な説明】
【００４０】
【図１】本実施形態における告知放送システムの構成を示すブロック図である。
【図２】告知放送受信機の構成を示すブロック図である。
【図３】告知放送の録音処理を示すフローチャートである。
【図４】第２の実施形態における告知放送の録音処理を示すフローチャートである。
【符号の説明】
【００４１】
１    伝送線路
３    センタ装置
４    制御部
１２    告知放送送信部
１６    告知放送受信機
１７    マイコン
２２    復調部
２４    音声アンプ
２５    スピーカ
２８    音量調整部
３０    録音手段
３１    音声メモリ
３１ａ  緊急放送メモリ
３１ｂ  一般一斉放送メモリ
３１ｃ  一般グループ放送メモリ
３４    一般告知ランプ
３５    緊急告知ランプ
３６    音声切替部
３８    再生スイッチ
３９    メモリ
５０    一般電話回路網
５１    電話機
【図１】
2006261956.tif 000003
【図２】
2006261956.tif 000004
【図３】
2006261956.tif 000005
【図４】
2006261956.tif 000006